(57)【特許請求の範囲】
【請求項１】
外枠と、該外枠前面に回動自在に軸着した前枠と、その前枠の裏面に回動自在に軸着した機構板とを有し、
前記機構板を上下方向に対して多分割構造に形成すると共にその夫々を前枠の裏面に軸着してなることを特徴とするパチンコ機。
【請求項２】
機構板の分割部分のヒンジ構造は、前枠に固定した一つの固定金具を隣り合うもの同士で共用させるようにしたことを特徴とする請求項１記載のパチンコ機。
【発明の詳細な説明】
【０００１】
【産業上の利用分野】
本発明は、パチンコ機の改良に関する。
【０００２】
【従来の技術】
図７は従来のパチンコ機の要部を示す断面平面図である。この図に示したように従来のパチンコ機は、外枠１０１と、該外枠１０１前面に回動自在に軸着した前枠１０２と、その前枠１０２と一体の桟部材１０３にヒンジ具１０４で回動自在に軸着した機構板１０５と、を有する。そして、従来の一般的な機構板１０５は一枚構造であった。
【０００３】
【発明が解決しようとする課題】
上記パチンコ機は、機構板１０５を開いて裏側から点検や調整を行う必要が生じた場合の煩わしさがあった。
【０００４】
【課題を解決するための手段】
上記の問題点を解消するため本発明は、外枠と、該外枠前面に回動自在に軸着した前枠と、その前枠の裏面に回動自在に軸着した機構板とを有し、前記機構板を上下方向に対して多分割構造に形成すると共にその夫々を前枠の裏面に軸着してなるパチンコ機を提供する。
【０００５】
【実施例１】
以下に本発明の実施例１を図１〜図５を参照しつつ説明する。なお、図１は要部を示すパチンコ機の断面平面図、図２はパチンコ機の分解斜視図、図３はパチンコ機の裏面図、図４はヒンジ構造を示す分解斜視図、図５は蝶番構造を示す分解斜視図である。
【０００６】
パチンコ機は、外枠１と、該外枠１前面に配設される前枠２と、前枠２に着脱自在に取着される遊技板３と、前枠２の裏側に配設される機構板４と、から概略構成される。前記外枠１は、図２に示すように、長方形の枠形状であって木又は合成樹脂製である。
【０００７】
前枠２は合成樹脂の成型品であって、窓穴５を設けた額縁形状であり、その裏面に窓穴５のほぼ上半部強を囲うように桟部材６が一体に突設されている。窓穴５の残りの下半部には別途形成した合成樹脂製の発射基板７がビス止めされる。前枠２は、図５に示すような蝶番構造で外枠１の前面に回動自在に軸着される。すなわち、蝶番構造は、前枠２の一側上下に合成樹脂製の軸受板８を一体に突設すると共に、外枠１の一側上下にピン９ｓ付きの蝶番金具９を固着し、該蝶番金具９のピン９ｓを軸受板８のピン孔８ｈに挿通させてなる。
【０００８】
前記遊技板３は、表面に入賞球受口器やガイドレールなどを設けると共に、裏面に入賞球を集める入賞球カバー１１を着脱自在に取り付けてなる。この遊技板３は桟部材６と発射基板７で囲われた部分に前枠２の裏側から着脱し得る。また、桟部材６と遊技板３には指掛け用の凹部１０が形成されていて、遊技板３の着脱を容易にしている。なお、遊技板３は前枠２の表側から着脱するようにしてもよい。
【０００９】
前記機構板４は、球タンク１２、導出樋１３、球放出装置１４、景品球排出樋１５、中継基板１６、制御装置１７などを集約設置した合成樹脂製の部品であって、本実施例では上半体４Ａと下半体４Ｂに二分割し、上半体４Ａと下半体４Ｂを合わせてほぼコ字状になる横空き形態である。そして、機構板４でコ字状に囲われた空間領域Ｓに前記遊技板３の入賞球カバー１１が臨む。機構板４の下半体４Ｂには入賞球集合樋１８が上向きに開口していて、前記入賞球カバー１１から排出される入賞球を全て受け入れる。ここで受け入れられた入賞球は下半体４Ｂにある入賞球処理装置（図示せず）に送られて機外に排出される。
【００１０】
機構板４は、前記桟部材６との間に介装したヒンジ具で回動自在に軸着されている。本実施例の機構板４は前記のように上半体４Ａと下半体４Ｂに二分割されており、それに対応すべく図４に示すようなヒンジ構造を採用している。すなわち、ヒンジ具Ａ，Ｂ，Ｃは、前枠２の桟部材６にビス止めされる固定金具１９Ａ，１９Ｂ，１９Ｃと、機構板４側にビス止めされる回動金具２０Ａ，２０Ｂ−１，２０Ｂ−２，２０Ｃとを夫々回転自在に結合してなる。各固定金具１９Ａ，１９Ｂ，１９Ｃは、桟部材６の側面にビス止めする取付基板２１と、該取付基板２１から突設した水平アーム板２２とからなり、該水平アーム板２２に、固定金具１９Ａには軸受孔２３が、固定金具１９Ｂには下向きに突出する軸筒２４が、固定金具１９Ｃには上向きの短軸２５が夫々形成されている。
【００１１】
回動金具２０Ａ，２０Ｂ−１は上半体４Ａに、また、回動金具２０Ｂ−２，２０Ｃは下半体４Ｂに夫々取り付けられている。各回動金具２０Ａ，２０Ｂ−１，２０Ｂ−２，２０Ｃは、機構板４にビス止めするための取付基板２６と、その取付基板２６から垂直に突設した腕杆２７と、該腕杆２７の先端に形成した軸受プレート２８と、からなる。そして、上半体４Ａの回動金具２０Ａ，２０Ｂ−１の軸受プレート２８には下向きに回動軸２９，２９が突設されており、該回動軸２９，２９が前記固定金具１９Ａの軸受孔２３と固定金具１９Ｂの軸筒２４の筒孔に遊嵌する。一方、下半体４Ｂの回動金具２０Ｂ−２，２０Ｃの軸受プレート２８には回動軸孔３０が穿設されており、該回動軸孔３０に前記固定金具１９Ｂの軸筒２４と固定金具１９Ｃの短軸２５が遊嵌される。なお、固定金具１９Ｂの軸筒２４は固定金具１９Ｃの短軸２５より若干長く形成してある。従って、先ず軸筒２４に回動金具２０Ｂ−２を嵌め、該軸筒２４の付け根部分に軸受プレート２８が付くまで下半体４Ｂを持ち上げ、その状態で短軸２５の軸線上に回動金具２０Ｃの回動軸孔３０を合致させて下半体４Ｂを降ろせば、軸筒２４と短軸２５に回動金具２０Ｂ−２，２０Ｃが夫々係合したまま外れない。
【００１２】
以上のヒンジ構造を採用することで、機構板４は上半体４Ａと下半体４Ｂを夫々独立した状態で回動させることができる。また、上半体４Ａの回動金具２０Ｂ−１と下半体４Ｂの回動金具２０Ｂ−２で一個の固定金具１９Ｂを共用する構成を採用することにより、固定金具装着作業の能率向上や部品コストの負担軽減などが可能である。その他、図中符号３１は、機構板４を閉じ位置にロックするための留め具である。
【００１３】
而して、機構板４と外枠１との間に採用した実施例１の干渉回避手段はヒンジ具Ａ，Ｂ，Ｃの構造である。すなわち、従来のヒンジ具１０４は、図７に示すように、機構板１０５の回動中心が外枠１０１の後縁より内側に設定されていたから前枠１０２を閉じた状態で機構板１０５を回動させようとすると外枠１０１と機構板１０５が直ぐに干渉し合うのである。そこで、図１，図４に示したように固定金具１９Ａ，１９Ｂ，１９Ｃの水平アーム板２２と、回動金具２０Ａ，２０Ｂ−１，２０Ｂ−２，２０Ｃの腕杆２７を夫々後方に延長し、以て機構板４の回動中心を外枠１の外側に移動させたのである。これにより図１二点鎖線のように、前枠２を閉じたままでも外枠１の裏からダイレクトに機構板４を作業可能開角度まで回動させることができる。もちろんこの位置まで回動させれば機構板４（上半体４Ａ，下半体４Ｂ）を桟部材６から取り外すこともできる。
【００１４】
【実施例２】
図６は実施例２を示すパチンコ機要部の断面平面図である。実施例２の干渉回避手段は外枠１の構造にある。すなわち、機構板４の回動中心を従来の位置から変更することなく、外枠１に干渉回避のための凹欠部３２を形成するのである。こうすることにより図６二点鎖線のように機構板４の回動側端部と外枠１とが干渉しないから、前枠２を閉じた状態でも機構板４の回動が可能である。なお、凹欠部３２を明確にするため、図２の外枠１に該凹欠部３２の一形態を二点鎖線で参考表示した。
【００１５】
以上本発明を実施例１，２について説明したが、もちろん本発明は上記各実施例に限定されるものではない。例えば、他のバリエーションの具体例として次の(1)〜(3)に記載したようなものが考えられる。
(1) 実施例１の機構板４は上半体４Ａと下半体４Ｂに二分割した形態を示したが、それ以外にも機構板を三分割したり、或いは一般的な一枚構造の機構板にも適用できる。
(2) ヒンジ具の構造は、実施例１に図示したものの他、例えば固定金具１９Ｂの軸受プレート２８の上下面に短軸と長軸を突設し、上半体４Ａの回動金具２０Ａ，２０Ｂ−１に下半体４Ｂの回動金具２０Ｂ−２，２０Ｃと同じ回動軸孔を形成してもよい。また、固定金具１９Ｂを二枚にして上半体４Ａ用と下半体４Ｂ用に分離させると共に、全固定金具の軸受プレート２８に軸受孔を穿設し、さらに下半体４Ｂの回動金具２０Ｂ−２，２０Ｃに上半体４Ａの回動金具２０Ａ，２０Ｂ−１と同じ回動軸を突設してもよい。
(3) 本発明は、前枠２を閉じた状態で機構板４の回動を可能にしたものであるから、必然的に機構板２が遊技板３の裏面に重合していなくとも前枠２を閉じることができる。従って、不注意で機構板４を閉じ忘れたまま前枠２を閉じたり、或いはロック不良で機構板４が遊戯中に自然回動してしまう虞がある。そこで、本発明に、機構板４が閉位置にあることを検出するセンサーを付加することが考えられる。すなわち、図３に符号Ｘ，Ｙで示したポイントにマイクロスイッチ、リードスイッチなどのセンサーを設置し、機構板４が閉位置にあることを電気的な信号で制御装置に送り、機構板４が閉位置にない場合は作動環境不良として遊技を中断させたり、或いは管理者側にその旨を報知するように設定するのである。なお、センサーとして例えばマイクロスイッチを利用する場合は機構板４の裏面にスイッチ本体を固着し、アクチュエータ片を遊技板３裏面又は桟部材６裏面に接触させるようにする。また、センサーとしてリードスイッチを利用する場合は、機構板４裏面にリードスイッチを固定し、遊技板３裏面又は桟部材６裏面に小さな永久磁石を取り付けるようにすればよい。斯かる構成を採用することにより、前記したような不注意による機構板４の閉じ忘れや、ロック不良による機構板４の自然回動などのトラブルが未然に防止できる。言うまでもなくこの場合の機構板４は、一枚構造でも多分割構造でもよい。但し、多分割構造の場合は分割した夫々について閉位置の検出を行うのが望ましい。
【００１６】
【発明の効果】
本発明のパチンコ機は、機構板を上下方向に対して多分割構造に形成すると共にその夫々を前枠の裏面に軸着したものであり、分割した機構板を開いて能率良く点検・調整作業が行える。
【００１７】
また、請求項２のように、前枠に固定した一つの固定金具を分割した機構板の隣り合うもの同士で共用させるようにすれば、固定金具装着作業の能率向上や部品コストの負担軽減が可能である。
【図面の簡単な説明】
【図１】要部を示すパチンコ機の断面平面図である。
【図２】パチンコ機の分解斜視図である。
【図３】パチンコ機の裏面図である。
【図４】ヒンジ構造を示す分解斜視図である。
【図５】蝶番構造を示す分解斜視図である。
【図６】実施例２を示すパチンコ機要部の断面平面図である。
【図７】従来技術を示すパチンコ機要部の断面平面図である。
【符号の説明】
１    …外枠
２    …前枠
４    …機構板
１９Ｂ…固定金具
【図１】
0003632604.tif 000002
【図２】
0003632604.tif 000003
【図３】
0003632604.tif 000004
【図４】
0003632604.tif 000005
【図５】
0003632604.tif 000006
【図６】
0003632604.tif 000007
【図７】
0003632604.tif 000008